(57)【要約】【課題】画像データを圧縮符号化して所定サイズに収めることが可能な撮像装置を提供すること。【解決手段】第１の解像度である第１の画像データを生成する撮像手段１と、画像データを任意の解像度に拡大又は縮小する解像度変換手段１０と、画像データに対して圧縮符号化を行って符号化画像データとする符号化手段１１と、撮像手段１、解像度変換手段１０および符号化手段１１を制御する制御手段１２と、を備え、制御手段１２は、解像度変換手段１０を制御して第１の画像データを第１の解像度よりも低い第２の解像度に縮小させて第２の画像データを得るに際し、第１の画像データおよび第２の画像データのうちいずれか一方を第２の解像度よりも低い第３の解像度に一旦縮小した後、第２の解像度に拡大して第２の画像データを得、制御手段１２は、第２の画像データを符号化手段１１に符号化させて符号化画像データを得るようにする。【選択図】図１
2011023928.tif 000002
【特許請求の範囲】
【請求項１】
第１の解像度である第１の画像データを生成する撮像手段と、
画像データを任意の解像度に拡大又は縮小する解像度変換手段と、
画像データに対して圧縮符号化を行って符号化画像データとする符号化手段と、
前記撮像手段、前記解像度変換手段および前記符号化手段を制御する制御手段と、
を備え、
前記制御手段は、前記解像度変換手段を制御して前記第１の画像データを前記第１の解像度よりも低い第２の解像度に縮小させて第２の画像データを得るに際し、前記第１の画像データおよび前記第１の画像データを前記解像度変換手段により拡大又は縮小した画像データのうちいずれか一方を前記第２の解像度よりも低い第３の解像度に一旦縮小した後、第２の解像度に拡大して前記第２の画像データを得る縮小拡大処理を行わせ、
前記制御手段は、前記第２の画像データを符号化手段に符号化させて符号化画像データを得るようにする、撮像装置。
【請求項２】
前記制御手段は、前記解像度変換手段を制御して前記第１の画像データを前記第１の解像度よりも低い第２の解像度に縮小させて第２の画像データを得るに際し、前記第１の画像データを前記第２の解像度に縮小して得た前記第２の画像データを前記符号化手段で圧縮符号化したときに所定サイズ以下とならないときに、前記縮小拡大処理を行わせる、請求項１記載の撮像装置。
【請求項３】
前記制御手段は、前記縮小拡大処理により前記第２の画像データを得たときに前記所定サイズ以下とならない場合、前記第３の解像度をさらに低い解像度に再設定して前記縮小拡大処理を行わせる、請求項１および２のいずれかに記載の撮像装置。
【請求項４】
画像データを任意の解像度に拡大又は縮小する解像度変換手段と、
画像データに対して圧縮符号化を行って符号化画像データとする符号化手段と、
前記解像度変換手段および前記符号化手段を制御する制御手段と、
を備え、
前記制御手段は、外部から入力される第１の解像度である第１の画像データに対して、前記解像度変換手段を制御して前記第１の解像度よりも低い第２の解像度に縮小させて第２の画像データを得るに際し、前記第１の画像データおよび前記第１の画像データを前記解像度変換手段により拡大又は縮小した画像データのうちいずれか一方を前記第２の解像度よりも低い第３の解像度に一旦縮小した後、第２の解像度に拡大して前記第２の画像データを得る縮小拡大処理を行わせ、
前記制御手段は、前記第２の画像データを符号化手段に符号化させて符号化画像データを得るようにする、画像処理装置。
【請求項５】
前記制御手段は、外部から入力される第１の解像度である第１の画像データに対して、前記解像度変換手段を制御して前記第１の解像度よりも低い第２の解像度に縮小させて第２の画像データを得るに際し、前記第１の画像データを前記第２の解像度に縮小して得た前記第２の画像データを前記符号化手段で圧縮符号化したときに所定サイズ以下とならないときには、前記縮小拡大処理を行わせる、請求項４記載の画像処理装置。
【請求項６】
前記制御手段は、前記縮小拡大処理により前記第２の画像データを得たときに前記所定サイズ以下とならない場合、前記第３の解像度をさらに低い解像度に再設定して前記縮小拡大処理を行わせる、請求項４および５のいずれかに記載の画像処理装置。
【請求項７】
外部から入力される第１の解像度である第１の画像データに対して、前記第１の解像度よりも低い第２の解像度に縮小してから圧縮符号化することにより符号化画像データを得る画像処理方法であって、
前記第１の画像データおよび前記第１の画像データを拡大又は縮小した画像データのうちいずれか一方を前記第２の解像度よりも低い第３の解像度に縮小して第３の画像データを得るステップと、
前記第３の画像データを前記第２の解像度に拡大して前記第２の画像データを得るステップと、
前記第２の画像データを圧縮符号化して前記符号化画像データを得るステップと、
を備える画像処理方法。
【発明の詳細な説明】
【技術分野】
【０００１】
本発明は、画像データを圧縮符号化して出力する撮像装置および画像処理装置に関する。
【背景技術】
【０００２】
動画や静止画を撮影するデジタルカメラ等の撮像装置においては、一般に、撮像された画像データをＪＰＥＧ（Ｊｏｉｎｔ  Ｐｈｏｔｏｇｒａｐｈｉｃ  Ｅｘｐｅｒｔｓ  Ｇｒｏｕｐ）方式等の所定の圧縮符号化方式により圧縮符号化し、符号化画像データとして記録媒体に記録している。また、符号化画像データを記録媒体に記録する際、記録媒体に記録される符号化画像データのインデックス画像として活用されるサムネイル画像データを生成し、符号化画像データとともに記録媒体に記録することが行われている（例えば、特許文献１参照。）。サムネイル画像データは、画像データの画素データを間引いて分解能を粗くした小画像であり、通常はさらに圧縮符号化が施された符号化サムネイル画像データとして記録媒体に記録される。
【先行技術文献】
【特許文献】
【０００３】
【特許文献１】特開２００１−６９４６５号公報
【発明の概要】
【発明が解決しようとする課題】
【０００４】
撮像装置においては、例えば、ＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）等の画像フォーマット規格や、デジタルカメラ等の組み込み機器の実装の都合上、サムネイル画像データの解像度（画像データの縦横の画素数）や符号化サムネイル画像データのサイズに上限値が設定される場合がある。特にデータサイズに上限値が設定される場合、サムネイル画像データに対して圧縮符号化を行って符号化サムネイル画像データを得るときには、そのデータサイズを所定サイズ以下に収める必要がある。しかしながら従来の撮像装置では、ハードウェア化された符号化部を利用して圧縮符号化を行うことが多く、その符号化部の圧縮性能不足のため、所定のデータサイズに収めることができないことがあるという課題があった。以下、この課題について説明する。
【０００５】
画像データをＪＰＥＧ方式等で圧縮符号化する際の圧縮率は、圧縮符号化を行う符号化部に設定する量子化ステップ等のパラメータの他、圧縮符号化の対象である画像データの絵柄の複雑さに依存する。したがって、画像データを所定サイズ以下に収めたい場合には、複雑な絵柄の画像データが入力された場合にも圧縮符号化後のデータサイズが所定サイズ以下になるように符号化のためのパラメータを設定する。しかしながら通常、符号化部にて設定可能なパラメータの範囲は決められており、最も圧縮率が高くなるようにパラメータを設定したとしても、非常に複雑な絵柄の画像データが入力されたときには所定サイズ以下に収めることが出来ない場合があった。
【０００６】
本発明は上記課題を解決し、圧縮性能に限界がある符号化部を利用する場合においても、画像データを圧縮符号化して所定サイズに収めることが可能な撮像装置を提供することを目的とする。
【課題を解決するための手段】
【０００７】
上記目的は、以下の撮像装置によって達成される。
【０００８】
第１の解像度である第１の画像データを生成する撮像手段と、画像データを任意の解像度に拡大又は縮小する解像度変換手段と、画像データに対して圧縮符号化を行って符号化画像データとする符号化手段と、撮像手段、解像度変換手段および符号化手段を制御する制御手段と、を備え、制御手段は、解像度変換手段を制御して第１の画像データを第１の解像度よりも低い第２の解像度に縮小させて第２の画像データを得るに際し、第１の画像データおよび第１の画像データを解像度変換手段により拡大又は縮小した画像データのうちいずれか一方を第２の解像度よりも低い第３の解像度に一旦縮小した後、第２の解像度に拡大して第２の画像データを得る拡大縮小処理を行わせ、制御手段は、第２の画像データを符号化手段に符号化させて符号化画像データを得るようにする。
【発明の効果】
【０００９】
本発明によれば、圧縮性能に限界がある符号化部を利用する場合においても、画像データを圧縮符号化した際に所定サイズに収めることが可能な撮像装置を提供することができる。
【図面の簡単な説明】
【００１０】
【図１】実施の形態１にかかる撮像装置の構成を示すブロック図
【図２】実施の形態１にかかる撮像装置における、画像データを撮像して記録するときの動作を示すフローチャート
【図３】実施の形態１にかかる撮像装置における、サムネイル画像データを生成して記録するときの動作を示すフローチャート
【図４】実施の形態１にかかる撮像装置における、縮小拡大処理の動作を示すフローチャート
【発明を実施するための形態】
【００１１】
（実施の形態１）
１．本実施の形態１にかかる撮像装置の構成
図１は、実施の形態１にかかる撮像装置の構成を示すブロック図である。
【００１２】
本実施の形態にかかる撮像装置は、撮像した画像データを圧縮符号化した符号化画像データ、および、画像データを縮小したサムネイル画像データを圧縮符号化した符号化サムネイル画像データを、記録媒体としてのメモリカードに記録する。撮像装置は、撮像した画像データを静止画として記録すると共に、その画像データを縮小してサムネイル画像とする。また、符号化サムネイル画像データのサイズは、あらかじめ設定された所定サイズ以下となるようにする。
【００１３】
撮像部１は、レンズ（図示せず）で集光した画像の光学的信号を電気的信号に変換して画像データを生成する。ゲインコントロール部（以下、ＡＧＣと呼ぶ）５は、生成した画像データのゲインを調整する。Ａ／Ｄ変換部６は、ＡＧＣから出力されたアナログ信号である画像データをデジタル化する。ＹＣ生成部８は、デジタル化された画像データを輝度信号と色信号とに変換する。変換された画像データは、メモリコントローラ７を介してバッファメモリ２に一時記憶される。撮像部１は、撮像素子としてＣＣＤイメージセンサやＣＭＯＳイメージセンサ、ＮＭＯＳイメージセンサ等を用いることができる。
【００１４】
解像度変換部１０は、バッファメモリ２に記憶された画像データに対して解像度を変換し拡大・縮小した画像を生成する処理を行う。解像度変換部１０は、画像データを縮小処理してサムネイル画像データを生成する際にも使用される。生成されたサムネイル画像データは、元の画像データとは別にバッファメモリ２に一時記憶される。サムネイル画像の解像度（以下、サムネイル解像度と呼ぶ）は、幅４００画素×高さ３００画素であるものとする。また、撮像部１が出力する画像データの解像度（以下、撮像解像度と呼ぶ）と、メモリカード４に記録すべき画像データの解像度（以下、記録解像度と呼ぶ）とが異なる場合は、解像度変換部１０が拡大・縮小処理を行うことで設定された解像度に変換する。本実施の形態では、撮像解像度を幅４０００画素×高さ３０００画素、記録解像度を幅２０００画素×高さ１５００画素とする。また、メモリカードに記録された符号化画像データを復号化して表示部１５に表示するような場合にも解像度変換部１０は、表示部１５の解像度に合わせて、もしくはユーザが操作部１３を操作して指定した表示サイズに基づいて拡大・縮小処理を行う。解像度変換部１０が出力する画像データの解像度は、マイコン１２が指定する。
【００１５】
圧縮符号化部１１は、あらかじめ設定された符号化パラメータにて画像データおよびサムネイル画像データを圧縮符号化し、各々符号化画像データおよび符号化サムネイル画像データとして、メモリカード４に記録する。符号化パラメータは、画像データおよびサムネイル画像データに対して各々異なるものを設定することができる。
【００１６】
以上のように、バッファメモリ２に記憶された画像データは、必要に応じて解像度変換部１０にて解像度変換処理された後、圧縮符号化部１１にて圧縮符号化され、符号化画像データとしてメモリカード４へ記憶される。また、画像データを縮小して生成したサムネイル画像データについても同様に、圧縮符号化部１１にて圧縮符号化され、符号化サムネイル画像データとしてメモリカード４へ記憶される。
【００１７】
復号化部１７は、メモリカードに記録された符号化画像データおよび符号化サムネイル画像データを復号化し、各々画像データおよびサムネイル画像データとしてバッファメモリに記憶させる。
【００１８】
表示部１５はバッファメモリ２に記憶された画像データおよびサムネイル画像データを表示する。電子ビューファインダ（ＥＶＦ：Ｅｌｅｃｔｒｏｎｉｃ  Ｖｉｅｗ  Ｆｉｎｄｅｒ）や液晶モニタは、表示部１５の一例である。
【００１９】
メモリカード４は、撮像装置に備えられたスロット（図示せず）に対して着脱可能である。なお、メモリカード４の代わりにＨＤＤ（Ｈａｒｄ  Ｄｉｓｋ  Ｄｒｉｖｅ）や光ディスク等の記録媒体に記録するようにしてもよい。また、これらの記録媒体は撮像装置内に取り外しできない状態で設けられていてもよい。
【００２０】
マイコン１２は、操作部１３を介したユーザの指示にしたがい、これら一連の動作を制御する。マイコン１２は、記憶部１６に記憶されたプログラムを読み出して実行することにより各種動作を実行する。また、各種パラメータ等も記憶部１６に記憶されており、必要に応じて読み出しおよび書き込みが行われる。例えば、記録解像度はユーザが操作部１３を操作することにより設定されたものが記憶部１６に記憶される。撮像装置が画像データをメモリカード４に記録する際には、撮像解像度の画像データを記録解像度に変換するため、マイコン１２は解像度変換部１０に対して記録解像度を設定して拡大・縮小処理を行わせる。同様に、サムネイル画像データを記録する際には、マイコン１２は解像度変換部１０に対してサムネイル解像度を設定して縮小処理を行わせる。またマイコン１２は、ユーザが設定した圧縮率等の設定に基づいて、圧縮符号化部１１に量子化ステップ等、符号化のための各種パラメータを設定する。
【００２１】
２．動作
２−１．フロー
次に、本実施の形態にかかる撮像装置の動作について説明する。
【００２２】
２−１−１．画像データ記録時の動作
はじめに、本実施の形態にかかる撮像装置の基本的な動作として、撮像した画像データをメモリカード４に記録する際の動作について、図２のフローチャートを参照しながら説明する。図２は、本実施の形態にかかる撮像装置における、画像データを撮像して記録するときの動作を示すフローチャートである。
【００２３】
マイコン１２は、操作部１３を介したユーザからの指示により、各種撮影パラメータを決定する（Ｓ１０１）。撮影パラメータとしては、光学系（図示せず）のズーム、フォーカスおよび絞りの設定、ＩＳＯ感度、シャッタスピード、ホワイトバランス、記録解像度、圧縮符号化時の圧縮度合い等が挙げられる。これらはすべてユーザが設定することもできるが、一部またはすべての設定をマイコン１２が決定するようにしてもよい。次に、マイコン１２は操作部１３に設けられたシャッタボタンが押下されたかどうか監視する（Ｓ１０２）。
【００２４】
シャッタボタンが押下されると、撮像部１は、マイコン１２の制御に基づいて被写体を撮像し、画像データを生成する（Ｓ１０３）。生成された画像データは、ＩＳＯ感度設定に応じたゲインでＡＧＣ５にてゲイン調整された後、Ａ／Ｄ変換部６にてデジタル信号に変換される。ＹＣ生成部８は、Ａ／Ｄ変換部６にてデジタル化された画像データを、輝度信号及び色信号に変換する（Ｓ１０４）。
【００２５】
マイコン１２は、記録解像度に応じた拡大・縮小倍率を決定する（Ｓ１０５）。倍率は、撮像解像度に対する記録解像度の比率として求めることができる。たとえば撮像解像度および記録解像度が共に４０００×３０００画素であればその倍率は１倍（以下、倍率は縦横の画素数に対する倍率とする）となり、拡大・縮小処理は行わない。本実施の形態では、撮像解像度を４０００×３０００画素、記録解像度を２０００×１５００画素としているので、その倍率は１／２倍となる。倍率については、縦方向、横方向それぞれ決定する必要がある。以下の説明では便宜上どちらも同じ倍率とするが、それぞれ別の倍率となるように各解像度を設定してもよい。解像度変換部１０にて拡大・縮小処理が行われる（Ｓ１０７）。
【００２６】
画像データは拡大・縮小処理後、符号化部１１にて圧縮符号化され（Ｓ１１０）、符号化画像データが生成される。このときの符号化パラメータは、ユーザの設定に基づいて設定される。符号化画像データは、メモリカード４へ記録される（Ｓ１１１）。最後に、撮像して記録した画像データに対応するサムネイル画像データを生成し、符号化サムネイル画像データとしてメモリカード４に記録する（Ｓ１１２）。サムネイル画像データの生成については、以下で詳しく述べる。
【００２７】
２−１−２．サムネイル画像データ記録時の動作
次に、サムネイル画像データを生成して記録するときの動作について詳細に説明する。図３は、本実施の形態にかかる撮像装置における、サムネイル画像データを生成して記録するときの動作を示すフローチャートである。本実施の形態では、バッファメモリ２に記憶されている、記録解像度の画像データを対象画像データとして、これからサムネイル画像データを生成するものとする。マイコン１２は、バッファメモリ２に記憶されている画像データに対して縮小処理を行い、サムネイル画像データを生成するよう以下のように各部を制御する。
【００２８】
まず、処理対象である画像データを縮小してサムネイル画像データを生成する際の縮小倍率を決定する（Ｓ２０１）。対象画像データの解像度が記録解像度であれば、倍率は、記録解像度に対するサムネイル解像度の比率として求めることができる。本実施の形態では、記録解像度が２０００×１５００画素であり、サムネイル解像度が４００×３００画素であるので、その倍率は１／５倍となる。
【００２９】
倍率決定後、解像度変換部１０にて縮小処理が行われる（Ｓ２０３）。解像度変換処理後のサムネイル画像データは、符号化部１１にて圧縮符号化され（Ｓ２０５）、符号化サムネイル画像データが生成される。このときの符号化パラメータは、符号化部１１にて指定可能な、最も圧縮率が高くなる組み合わせを設定するものとする。
【００３０】
ここでマイコン１２は、符号化サムネイル画像データのサイズが所定サイズに収まっているかどうか判断する（Ｓ２０６）。例えば所定サイズが１６キロバイト（ＫＢ）であるとすると、マイコン１２は圧縮符号化された符号化サムネイル画像データのサイズを１６ＫＢと比較する。所定サイズ以下であれば（Ｓ２０６において“Ｙｅｓ”）、この符号化サムネイル画像データをメモリカード４に記録する（Ｓ２０７）。所定サイズを越えていれば（Ｓ２０６において“Ｎｏ”）、一旦、画像データをサムネイル解像度よりさらに小さな解像度（例えば、１／２）に縮小した後、縮小画像をサムネイル画像データのサイズに再び拡大する、縮小拡大処理を行い（Ｓ２０８）、その後に再度圧縮符号化処理を行う（Ｓ２０５）。
【００３１】
次に縮小拡大処理について、詳細に説明する。図４は、対象となる画像データを一旦サムネイル解像度より小さな解像度に縮小した後、再度サムネイル解像度まで拡大する、縮小拡大処理の動作を示すフローチャートである。この処理では、処理対象である画像データを、最終的に得たいサムネイル画像データよりも低い解像度（以下、中継解像度と呼ぶ）の画像データ（以下、中継画像データと呼ぶ）に一旦縮小し、そこから拡大処理を行ってサムネイル画像データを得る。サムネイル解像度よりも低い中継解像度に縮小してからサムネイル解像度に拡大することにより、得られるサムネイル画像データの実質的な情報量は中継解像度のそれと等しくなる。その結果、符号化部１１で符号化すると、そのデータ量をより小さくすることができる。
【００３２】
以下、処理対象の画像データは記録解像度の画像データであるものとして説明するが、処理対象の画像データとして、記録解像度への解像度変換処理を行っていない撮像解像度の画像データや、すでにサムネイル解像度に縮小済みのサムネイル画像データを選択してもよい。
【００３３】
まず、処理対象である画像データを、最終的に得たいサムネイル画像データよりも低い解像度（以下、中継解像度と呼ぶ）の画像データに縮小する際の縮小倍率、およびそこからサムネイル画像データに拡大する際の拡大倍率を決定する（Ｓ３０１）。中継解像度を２００×１５０画素とすれば、記録解像度（２０００×１５００画素）に対する中継解像度の倍率（縮小倍率）は１／１０倍となり、中継解像度に対するサムネイル解像度（４００×３００画素）の倍率（拡大倍率）は２倍となる。すなわち、処理対象の画像データに対し、一旦サムネイル画像データの解像度の１／２の解像度まで縮小してから２倍に拡大することでサムネイル画像データを得るようにする。なお、対象画像データとしてサムネイル画像データを選択した場合には縮小倍率と拡大倍率を掛け合わせると１となり、本実施の形態では、縮小倍率は１／２倍、拡大倍率は２倍となる。
【００３４】
倍率決定後、解像度変換部１０にて縮小処理が行われる（Ｓ３０３）。縮小処理後、さらに解像度変換部１０にて拡大処理が行われる（Ｓ３０４）。
【００３５】
２−２．効果等
以上のように、本実施の形態の撮像装置は、縮小拡大処理により、通常通りの縮小処理のみによって得られるサムネイル画像データと比較して、実質的な情報量がより少ないサムネイル画像データを得ることが出来る。これは縮小倍率に応じて画像データの高周波成分が失われることに起因する。このため、符号化部１１の圧縮性能に制約があった場合でも、圧縮符号化したときに得られる符号化サムネイル画像データのサイズをより小さくすることが出来、所定サイズ以下に収めることができるようになる。また、縮小拡大処理は、通常の撮像動作において使用する解像度変換部１０を用いて行うことができ、符号化部１１についても特別な構成は不要なため、従来の構成に対して大規模な変更を加えることなく実現することが可能となる。
【００３６】
なお、もし縮小拡大処理によっても符号化サムネイル画像データのサイズを所定サイズ以下に収めることが出来なかった場合には（Ｓ２０６において“Ｎｏ”）、中継解像度をより低い解像度に設定して（Ｓ３０１）縮小拡大処理をやりなおす（Ｓ３０３、Ｓ３０４）ようにすればよい。この場合、さらなる縮小拡大処理における対象画像データとして、中継解像度の中継画像データを用いることもできる。
【００３７】
なお、本実施の形態の撮像装置は、記録すべき画像データを圧縮符号化して符号化画像データとして記録した後で、サムネイル画像データを生成するものとして説明したが、サムネイル画像データを生成するタイミングはこの限りではなく、バッファメモリ２に画像データが記憶されている状態であればいつでもよい。例えば、ＹＣ生成部８によってバッファメモリ２に画像データが記憶された後であればいつでもよい。また、サムネイル画像生成の対象画像データについても本実施の形態で説明した撮像解像度、記録解像度の画像データの他、表示部１５へ表示するために解像度変換した画像データを対象画像データとしてもよい。
【００３８】
また、本実施の形態では、画像データを撮像して記録する際に、併せてサムネイル画像データも生成して記録する撮像装置について説明したが、入力される画像データに対してサムネイル画像データを生成する画像処理装置として構成してもよい。例えば、メモリカード４に記憶された符号化画像データ、または外部から伝送される符号化画像データを復号化部１７が復号してバッファメモリ２に記憶し、これを対象画像データとして本実施の形態と同様の処理によりサムネイル画像データを生成する画像処理装置として構成してもよい。
【００３９】
本実施の形態では、画像データを通常通り（中継解像度を経由せず）サムネイル解像度に縮小してサムネイル画像データを得、圧縮符号化後の符号化サムネイル画像データのサイズが所定サイズ以下にならない場合に、縮小拡大処理によりさらにサイズを小さくする構成について説明したが、最初から無条件に縮小拡大処理を行ってもよい。
【００４０】
なお、本実施の形態では、処理対象の画像データに対し、一旦サムネイル画像データの解像度の１／２の解像度まで縮小してから２倍に拡大する、すなわち中継解像度に対する
サムネイル解像度の倍率を２倍としたが、中継解像度がサムネイル解像度より低い解像度になっていれば他の倍率であってもよい。
【００４１】
なお、本実施の形態では、サムネイル画像データを符号化する際に本発明を適用した例について説明したが、撮像した画像データそのものを含め、任意の画像データに適用することで、符号化部１１の圧縮性能に制約があった場合でも、圧縮符号化したときに得られる符号化画像データのサイズをより小さくすることが可能である。
【００４２】
なお、本実施の形態の撮像装置は画像データを静止画として記録し、静止画である画像データからサムネイル画像データを生成するものとして説明したが、画像データを例えば、ＡＶＣＨＤ（Ａｄｖａｎｃｅｄ  Ｖｉｄｅｏ  Ｃｏｄｅｃ  ＨｉｇｈＤｅｆｉｎｉｔｉｏｎ）動画として記録し、一連の動画からサムネイル画像データを生成するようにしてもよい。その場合、例えば、動画としての画像データの中から撮影開始直後の先頭画像を１コマ抽出して静止画としての画像データとし、そこから本実施の形態と同様にサムネイル画像データを生成し、ＡＶＣＨＤ規格で定められるサムネイル画像データとして記録するようにすればよい。
【００４３】
なお、本実施の形態にかかる撮像装置の構成の一部を、集積回路として構成してもよい。例えば、メモリコントローラ７、ＹＣ生成部８、解像度変換部１０、符号化部１１、復号化部１７を含む集積回路３として構成してもよい。この集積回路３には、さらにバッファメモリ２、マイコン１２および記憶部１６のうち少なくともいずれかを含むようにしてもよい。
【産業上の利用可能性】
【００４４】
本発明は、特別な処理部を追加すること無く、画像データを圧縮符号化した際に所定サイズに収めることができるので、デジタルスチルカメラやビデオカメラ、監視カメラ、カメラ付き携帯端末等、カメラ機能を有する電子機器に適用できる。
【符号の説明】
【００４５】
１  撮像部
２  バッファメモリ
３  集積回路
４  メモリカード
５  ゲインコントロール部
６  Ａ／Ｄ変換部
７  メモリコントローラ
８  ＹＣ生成部
１０  解像度変換部
１１  符号化部
１２  マイコン
１３  操作部
１５  表示部
１６  記憶部
１７  復号化部
【図１】
2011023928.tif 000003
【図２】
2011023928.tif 000004
【図３】
2011023928.tif 000005
【図４】
2011023928.tif 000006